(57)【特許請求の範囲】
【請求項１】
遊技盤と、前記遊技盤の裏面側に配置され、所定の遊技を制御する制御基板を収容した基板ケースと、前記基板ケースを前記遊技盤に対して開閉自在に取着する基板ケース開閉手段と、前記基板ケースと前記遊技盤との間に配置されるスペーサーと、前記スペーサーを前記遊技盤に対して開閉自在に取着するスペーサー開閉手段と、前記制御基板に接続されるハーネスとを備える遊技機であって、
前記スペーサーは、前記ハーネスが挿通されるハーネス挿通溝部と、前記ハーネスを前記ハーネス挿通溝部に挿通された状態で保持する係止片とを含む、
ことを特徴とする遊技機。
【発明の詳細な説明】
【技術分野】
【０００１】
本発明は、パチンコ機やスロットマシンに代表される遊技機に関するものである。
【背景技術】
【０００２】
パチンコ球を使用するパチンコ機などの遊技機においては、その遊技盤の裏面に、所定の遊技を制御する制御基板を収容した基板ケースが配置されているものがあり、基板ケースは、その他に遊技盤の裏面側に配置されている電気部品である検出スイッチ、中継基板、始動口や大入賞口の作動装置等と遊技盤裏面視において重なった状態でかつ開閉自在とされている。このため、電気部品や基板ケースを遊技盤の裏面側に配置することができ、かつ電気部品の点検や制御基板への不正の有無等の確認を行う場合には、基板ケースを開放させればその作業がし易くなるものである。
また、基板ケースと遊技盤側との間には所定の隙間が設定され、遊技機裏面に配置される各種部品の形状が変更されたとしてもできるだけ基板ケースの取付構造を流用できるように工夫がされている。
【先行技術文献】
【特許文献】
【０００３】
【特許文献１】特開２００４−３３６０３
【発明の概要】
【発明が解決しようとする課題】
【０００４】
上記構成によれば、基板ケースを開放させることによって、電気部品や制御基板の点検や確認がし易くなるとともに、遊技盤裏面の各種部品の形状が変更される毎にこの基板ケースの取付構造を変更する手間をできるだけ省くことができる点で有利である。しかし逆に、電気部品等への不正アクセス等がし易い構造であり、遊技盤裏面側への不正行為が行われる可能性が高い。
【０００５】
また、基板ケースと遊技盤裏面側との隙間形状に対応したスペーサーを配置し、基板ケースやスペーサーに対しこれらの不正開放を防止するための封止手段を採用することが考えられるが、このような封止手段では封止可能回数が多い構造であるほど基板ケース又はスペーサーに対してある程度のスペースを占有することになる。特に、基板ケースやスペーサーによって覆われる電気部品の種類によっては、例えば接続不良に対するメンテナンスなどが頻繁にされることも考えられるものであるから、このような従来の封止手段を単に採用するのみの構造は実用的ではない場合がある。
【０００６】
本発明は、かかる問題点に鑑みて案出されたものであり、基板ケースやスペーサーの開閉を好適に規制できる遊技機を提供することを目的とする。
【課題を解決するための手段】
【０００７】
本発明に係る遊技機は、上記目的を達成するために、
遊技盤と、前記遊技盤の裏面側に配置され、所定の遊技を制御する制御基板を収容した基板ケースと、前記基板ケースを前記遊技盤に対して開閉自在に取着する基板ケース開閉手段と、前記基板ケースと前記遊技盤との間に配置されるスペーサーと、前記スペーサーを前記遊技盤に対して開閉自在に取着するスペーサー開閉手段と、前記制御基板に接続されるハーネスとを備える遊技機であって、
前記スペーサーは、前記ハーネスが挿通されるハーネス挿通溝部と、前記ハーネスを前記ハーネス挿通溝部に挿通された状態で保持する係止片とを含む、
ことを特徴としている。
【発明の効果】
【０００８】
本発明によれば、基板ケースやスペーサーの開閉を好適に規制できる。
【図面の簡単な説明】
【０００９】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例であるパチンコ機の背面図である。
【図７】本発明にかかる遊技機の一例であるパチンコ機のセット板を開いた背面の斜視図である。
【図８】本発明にかかる遊技機の一例であるパチンコ機の遊技盤の裏面の斜視図である。
【図９】本発明にかかる遊技機の一例であるパチンコ機の遊技盤の裏面の第１基板ケースを連結台座部材から外した状態の斜視図である。
【図１０】本発明にかかる遊技機の一例であるパチンコ機の遊技盤の裏面の第１基板ケースを連結台座部材ごと外した状態の右側面図である。
【図１１】本発明にかかる遊技機の一例であるパチンコ機の遊技盤の裏面の第１基板ケースを連結台座部材から外し、連結台座部材を開放した状態の斜視図である。
【図１２】本発明にかかる遊技機の一例であるパチンコ機の遊技盤の裏面の第１基板ケースおよび連結台座部材をそれぞれ外した状態の斜視図である。
【図１３】本発明にかかる遊技機の一例であるパチンコ機の遊技盤の裏面の第１基板ケースを開放した状態の斜視図である。
【図１４】本発明にかかる遊技機の一例であるパチンコ機の遊技盤の裏面の第１基板ケースを外し、スペーサー（中間部材）を開放した状態の斜視図である。
【図１５】破断ネジの一例を示す正面図である。
【図１６】本発明にかかる遊技機の一例であるパチンコ機の遊技盤の裏面の第１基板ケース、連結台座部材、スペーサー（中間部材）および球集合板を外して分解した状態の斜視図である。
【図１７】本発明にかかる遊技機の一例であるパチンコ機の遊技盤の裏面の第１基板ケースおよび連結台座部材を外して分解した状態の斜視図である。
【図１８】本発明にかかる遊技機の一例であるパチンコ機の第１基板ケースに連結台座部材を取り付けた状態の斜視図である。
【図１９】本発明にかかる遊技機の一例であるパチンコ機の遊技盤から球集合板、開閉機構、連結台座部材を取り付けた第１基板ケースを分離した状態の分解斜視図である。
【図２０】スペーサー（中間部材）の封止構造を示す拡大図である。
【図２１】本発明にかかる遊技機の一例であるパチンコ機の遊技盤の裏面の第１基板ケースを連結台座部材ごと外し、さらにスペーサー（中間部材）ごと球集合板を外した状態の斜視図である。
【図２２】本発明にかかる遊技機の一例であるパチンコ機の遊技盤の裏面の第１基板ケースおよびスペーサー（中間部材）を取り付けた球集合板を外した状態の斜視図である。
【図２３】本発明にかかる遊技機の一例であるパチンコ機の遊技盤の裏面の斜視図である。
【図２４】本発明にかかる遊技機の一例であるパチンコ機の遊技盤の裏面に、スペーサー（中間部材）を設け、第１基板ケースおよび連結台座部材をそれぞれ外し、スペーサー（中間部材）を開放した状態の斜視図である。
【図２５】本発明にかかる遊技機の一例であるパチンコ機のスペーサーの下面からの斜視図である。
【図２６】本発明にかかる遊技機の一例であるパチンコ機のスペーサーと第１基板ケースを分離した上面からの斜視図である。
【図２７】本発明にかかる遊技機の一例であるパチンコ機のスペーサーに第１基板ケースを装着した上面からの斜視図である。
【図２８】本発明にかかる遊技機の一例であるパチンコ機のスペーサーの側面図である。
【図２９】本発明にかかる遊技機の一例であるパチンコ機のスペーサーの底面図である。
【発明を実施するための形態】
【００１０】
本発明において、スペーサーとは、基板ケースと遊技盤とのスペースを埋めるものであり、その形状として、基本的には箱型を呈し、区画壁を備えるものではあるが、リブを備えたものや種々の形態のものが含まれ、また、全体形状も必ずしも箱型である必要はない。
そして、スペーサー及び基板ケースの遊技機に対する取り付けは、遊技盤或いは球集合板、その他の間接的ブラケット類の何れの場合も対象となり、含まれるものである。従って、スペーサーを遊技盤に対して開閉自在に取り付けるとは、遊技盤への直接連結状態、他部材、例えば、球集合板を介した間接連結状態も含まれる。
本発明にいう連結台座部材とは、基板ケースを遊技盤に取り付けるのに、遊技盤に一体の取付部材（開閉機構を含む）に対して連結するための部材であり、基板ケース側に固定されているものである。
【００１１】
また、開閉機構とは、基板ケースを、その一端側を回動中心として、遊技盤に対して開く状態とするための機構を言う。
また、ハーネスとは、基板ケースと他の電気部品或いは中継基板その他の装置などを相互に接続する配線を言うもので、両端部にはコネクタが設けられている。
そして、拘束バンドとは、インシュロックに代表される如き構造、例えば、帯状体が、そこに設けられた係止部に一方向ロックの状態で係合するように構成されたもの、或いは、結びを行うことができる紐状のもの等、種々の形態のもので、要するに二者或いは複数物を拘束し、連結固定することができものであれば、全て含まれる。
【００１２】
本発明にかかる遊技機は、上記目的を達成するために、手段１として、
所定の遊技を行う制御基板を収容した基板ケースとスペーサーとが重なる状態で配置され、前記基板ケースは、その一側において連結台座部材と開閉機構を介して、また、前記スペーサーは、前記連結台座部材のある側とは反対側においてスペーサー開閉手段を介して、互いに異なる方向に開閉するように、夫々遊技盤の裏面側に配置され、前記スペーサーは、前記スペーサー開閉手段の存在する側とは反対側において開閉不能に封印されている遊技機であって、
前記スペーサーは、前記基板ケースを取り付ける取付部と、スペーサー壁体部と、遊技盤に対して開閉自在に取り付ける装着部とを備え、
前記取付部には、少なくとも一つの、前記基板ケースを該スペーサーにバンド連結するための拘束バンド挿通溝部と、ハーネスを挿通保持するハーネス挿通溝部とが備えられ、且つ、
前記拘束バンド挿通溝部を通り、前記基板ケースと前記スペーサーとに亘って巻回された拘束バンドが設けられている、
ことを特徴とする。
【００１３】
このように、基板ケースとスペーサーとを拘束バンドで拘束することにより、単に基板ケースがスペーサーから外されないだけでなく扉式に開閉される両部品を開閉できないようにしておくことにより、基板ケースがスペーサーから離されることで、基板ケースによって被覆されている遊技盤裏面の中継基板や他の電気部品などを不正に操作されることを防止できる利点がある。この際、従来の使用回数が制限されている封印手段ではなく、簡便な拘束バンドを用いる方式であるので、頻繁に行われる正規の基板ケースの開閉（スペーサーに対し）に問題なく対応できる。
そして、ハーネス挿通溝部を備えることで、基板ケースの一側から出たハーネスを、この基板ケースの下側を潜らせることで、基板ケースの他側、例えば、遊技盤の下方の大入賞装置の側に導出することができ、基板ケースの上面側を通す方式に比べて不正を受ける頻度を大幅に抑えることができる。
【００１４】
本発明にかかる遊技機は、上記目的を達成するために、手段２として、
遊技球が流下する遊技領域が前面側に形成された遊技盤と、該遊技盤の裏面側に配置され所定の遊技を制御する制御基板を収容した基板ケースと、該基板ケース及び前記遊技盤の間に配置されるスペーサーと、を備える遊技機であって、
前記基板ケースと前記スペーサーとが前記遊技盤裏面視において重なるように配置され、前記基板ケースは、その一側に設けられ前記基板ケースを開閉するための開閉機構を介して、また、前記スペーサーは、前記開閉機構のある側とは異なる側に設けられ前記スペーサーを開閉するためのスペーサー開閉手段を介して、互いに異なる方向に開閉するように配置され、
前記スペーサーは、その裏面側に形成され前記基板ケースが取り付けられる取付部と、前記スペーサーの前面側に形成され前記遊技盤側に配置されている所定の電気部品を覆うように前記遊技盤側が開口した箱状に形成されたスペーサー壁体部と、を備えるとともに、前記スペーサーの一側壁から対向する側壁にかけて連通するように形成され拘束バンドを挿通可能な拘束バンド挿通溝部と、該拘束バンド挿通溝部に前記拘束バンドが挿通された状態を維持させる係り部と、を備え、
前記拘束バンドが、前記拘束バンド挿通溝部に挿通されかつ前記係り部と前記基板ケースとを巻回した状態で結束されていることを特徴とする。
【００１５】
このように、遊技盤裏面視において電気部品と基板ケースとが重なるように配置されているので、省スペースで電気部品と基板ケースとを配置することができる。また、遊技盤裏面側との間に隙間をあけて基板ケースを配置したことにより、電気部品等に形状変更があった場合にも基板ケースの取付構造を流用することができる。また、遊技盤と基板ケースとの隙間をスペーサーが配置されていることにより減少させているので、遊技盤と基板ケースとの隙間に例えば不正な制御を行う不正基板などを隠されたりすることを防止できる。さらに、基板ケースとスペーサーとがそれぞれ開閉できる構造とされていることにより、電気部品や制御基板の裏面などの点検又は確認を容易に行うことができる。また、スペーサーが基板ケースの取付部を備えていることにより、基板ケースが勝手に開放してしまうことがない。また、基板ケース及びスペーサーが互いに異なる方向に開閉する構成であり、かつ両者を拘束バンドを巻回させて拘束することにより、頻繁に開閉して点検等を行うこと可能性があるとしても拘束バンドを取り替えれば何度でも拘束状態にでき、拘束状態においては基板ケースや電気部品への不正行為を防止することができる。この場合、拘束バンドは特殊な形状のもの等を用いるようにしてもよい。基板ケース及びスペーサーを拘束バンドにより拘束するための構成として拘束バンド挿通溝部及び拘束バンド規制部を採用しているため、スペーサーの取付部に対して基板ケースが取り付けられた状態で簡単に拘束バンドによって両者を拘束状態にすることができる。
【００１６】
本発明にかかる遊技機は、上記目的を達成するために、手段３として、
遊技球が流下する遊技領域が前面側に形成された遊技盤と、該遊技盤の裏面側に配置され所定の遊技を制御する制御基板を収容した基板ケースと、該基板ケース及び前記遊技盤の間に配置されるスペーサーと、を備える遊技機であって、
前記基板ケースと前記スペーサーとが前記遊技盤裏面視において重なるように配置され、前記基板ケースは、前記基板ケースを開閉するための開閉機構を介して、また、前記スペーサーは、前記スペーサーを開閉するためのスペーサー開閉手段を介して開閉するように配置され、
前記スペーサーは、その裏面側に形成され前記基板ケースが取り付けられる取付部と、前記スペーサーの前面側に形成され前記遊技盤側に配置されている所定の電気部品を覆うように前記遊技盤側が開口した箱状に形成されたスペーサー壁体部と、を備え、
前記取付部には、ハーネスが挿通されるハーネス挿通溝部と、前記ハーネスの両端に設けられたコネクタのうち一方が収容され固定される収容部と、前記ハーネスが前記ハーネス挿通溝部に挿通された状態に保持する係止片と、を備えていることを特徴とする。
【００１７】
このように、遊技盤裏面視において電気部品と基板ケースとが重なるように配置されているので、省スペースで電気部品と基板ケースとを配置することができる。また、遊技盤裏面側との間に隙間をあけて基板ケースを配置したことにより、電気部品等に形状変更があった場合にも基板ケースの取付構造を流用することができる。また、遊技盤と基板ケースとの隙間をスペーサーが配置されていることにより減少させているので、遊技盤と基板ケースとの隙間に例えば不正な制御を行う不正基板などを隠されたりすることを防止できる。さらに、基板ケースとスペーサーとがそれぞれ開閉できる構造とされていることにより、電気部品や制御基板の裏面などの点検又は確認を容易に行うことができる。また、スペーサーが基板ケースの取付部を備えていることにより、基板ケースが勝手に開放してしまうことがない。また、スペーサーに対してハーネス挿通溝部と係止片とを備えているので、スペーサーに対してハーネスを取り付けることができ、遊技機製造工程においてハーネスを配置する時期をより自由に設定できるようになる。スペーサーが遊技盤に取り付けられる前段階でハーネスをスペーサーに取り付けるようにすれば、ハーネスを後から配置する場合に各種部品が邪魔をして配置しづらいなどの問題が生じることがないし、この際に収容部によって一方のコネクタを仮留め状態にすれば、他方のコネクタ側に配線が寄った状態となるため、先に他方のコネクタの接続作業を行う場合に手間どうことがなくなる。また、ハーネス挿通溝部をハーネスの両コネクタよりも細溝に設定し、スペーサー及び基板ケースが拘束バンドや封止手段により不正に開放できない構成にする場合には、このハーネスが不正なハーネスに取り替えられることを防止できる。
【００１８】
手段４：手段１の遊技機において、
前記拘束バンド挿通溝部が、前記基板ケースの幅方向に、所定の間隔を隔てて２箇所設けられていることを特徴とする。
このように、拘束バンド挿通溝部が前記基板ケースの幅方向に、所定の間隔を隔てて２箇所設けられていることで、２本のバンド拘束が確実且つ安定的に行い得ることができる。勿論、不正を働く場合には、２本のバンドを切断しなければならず、手間を要することになる。
【００１９】
手段５：手段１又は手段４の遊技機において、
前記取付部の底壁から、前記基板ケースの前記連結台座部材が位置する側辺を除く３辺を所定の高さで収容するように側壁が立設されている、ことを特徴とする。
このように、前記取付部に基板ケースの３辺を囲む側壁が立受されたことで、これらの側壁により基板ケースが規制された状態でスペーサーに受け止めさせることができ、単に台板状のスペーサーに載置するのにくらべ、安定的に支持することができる。従って、拘束バンドにより基板ケースがスペーサーに結束されたときに、万一、拘束が緩んでも、前記側壁の存在によって、相互に横滑りして結束状態が崩れてしまう虞がない。
尚、上記３辺の側壁と基板ケースとは、必ずしも常時密着している必要はなく、僅かに離れている場合も、本発明の対象とされる。
【００２０】
手段６：手段１、手段４又は手段５の遊技機において、
前記拘束バンド挿通溝部の両端部において、前記取付部の側壁が前記拘束バンド挿通溝部を跨ぐように設けられ、拘束バンドの係り部として機能するように構成されていることを特徴とする。
前記取付部の側壁が、前記拘束バンド挿通溝部を跨ぐように設けられ、拘束バンドの係り部として機能するように構成されていることで、前記取付部の側壁が、基板ケースを保持する機能を発揮すると同時に、拘束バンドが基板ケースをスペーサーに拘束するための係りの機能も兼ねている。
【００２１】
手段７：手段２の遊技機において、
前記係り部が、前記拘束バンド挿通溝部の両端部において、前記拘束バンド挿通溝部を跨ぐように設けられた前記取付部の側壁により構成されていることを特徴とする。
前記取付部の側壁が、前記拘束バンド挿通溝部を跨ぐように設けられ、拘束バンドの係り部として機能するように構成されていることで、前記取付部の側壁が、基板ケースを保持する機能を発揮すると同時に、拘束バンドが基板ケースをスペーサーに拘束するための係りの機能も兼ねている。
【００２２】
手段８：手段５又は手段６の遊技機において、
前記スペーサーが可撓性を備えた合成樹脂製であり、前記取付部の側壁に、前記基板ケースの一部に係脱自在の係止爪が形成されていることを特徴とする。
このように、スペーサー自体を、可撓性を備えた合成樹脂製とし、その取付部の側壁に係止爪を形成するようにしたことで、この係止爪により弾性的に基板ケースに係脱させることができ、基板ケースの側壁を利用して係止爪を設けることができる利点がある。
【００２３】
手段９：手段８の遊技機において、
前記係止爪が前記拘束バンド挿通溝部の上方に位置する前記取付部の側壁に設けられていることを特徴とする。
このように、前記係止爪が前記拘束バンド挿通溝部の上方に位置する前記取付部の側壁に設けられていることで、前記拘束バンド挿通溝部に拘束バンドが通されて、前記基板ケースに巻回されるときに、その拘束バンドが前記取付部の側壁から前記係止爪の上に沿って巻回されることになり、前記係止爪自体も拘束することになって、係止爪による基板ケースの係止状態を強固に維持できることになる。
【００２４】
手段１０：手段８乃至手段９の遊技機において、
前記係止爪が、該係止爪の両側において、前記取付部の側壁が切り欠かれ、弾性変形容易となるように構成されていることを特徴とする。
上記のように、前記スペーサーが可撓性を備えた合成樹脂製で構成され、且つ、前記取付部の側壁に切り欠きが形成されることで、前記係止爪の変形を容易に成しえて弾性を引き出し易くなり、係脱がスムースに行い得る。
【００２５】
手段１１：手段１、４、６乃至１０の遊技機において、
前記係止爪が、前記側壁の内側に向いた爪突起を有し、該爪突起は、その上端から前記側壁の内側下方に向けて傾斜面を有することを特徴とする。
このように、係止爪の爪突起に、その上端から前記側壁の内側下方に向けて傾斜面を有せしめたことで、上方から基板ケースをスペーサーの取付部側に挿入設置するときに、この係止爪に接当した際、その傾斜面がカム作用を生じて、該係止爪を外側に曲げようとする分力を生ぜしめ、その基板ケースの前記取付部への挿入をスムース且つ容易にすることができる。
【００２６】
手段１２：手段１、４、６乃至１１の遊技機において、
前記スペーサーの取付部の上面部に、前記連結台座部材を位置させるための段部が形成され、該段部に、前記ハーネス挿通溝部が形成されていることを特徴とする。
このように、スペーサーには基板ケースの側部（裏面）に設けた連結台座部材を位置させるための段部を形成する必要があるが、この段部にハーネス挿通溝部を形成することで、この段部とハーネス挿通溝部とを一挙に形成できる。
そして、基板ケースの裏面側は、スペーサーにより埋まっており、また、内部では、遊技盤の裏面の各電気部品等が占拠している状態であり、上述したハーネスを通す通路を確保し難いところ、この連結台座部材の下側の段部に形成することで、ハーネスを前記基盤ケースにより隠した状態で、該基板ケースの一側から他側に導出させることができたのである。
【００２７】
手段１３：手段３の遊技機において、
前記スペーサーの取付部の上面部に、前記連結台座部材を位置させるための段部が形成され、該段部に、前記ハーネス挿通溝部が形成されていることを特徴とする。
このように、スペーサーには基板ケースの側部（裏面）に設けた連結台座部材を位置させるための段部を形成する必要があるが、この段部にハーネス挿通溝部を形成することで、この段部とハーネス挿通溝部とを一挙に形成できる。
そして、基板ケースの裏面側は、スペーサーにより埋まっており、また、内部では、遊技盤の裏面の各電気部品等が占拠している状態であり、上述したハーネスを通す通路を確保し難いところ、この連結台座部材の下側の段部に形成することで、ハーネスを前記基盤ケースにより隠した状態で、該基板ケースの一側から他側に導出させることができたのである。
【００２８】
手段１４：手段１、４，６，７乃至手段１２の遊技機において、
前記ハーネス挿通溝部の上部には、ハーネスを押さえ込む少なくとも1個の係止片が、該ハーネス挿通溝部の少なくとも一部を横切るように設けられていることを特徴とする。
このように、ハーネス挿通溝部の上部に、ハーネスを押さえ込む少なくとも1個の係止片を、該ハーネス挿通溝部の少なくとも一部を横切るように設けたことで、
ハーネスを設置するときに、該ハーネス挿通溝部の内部に納めて抑えこむことができて、基板ケースを扉のように回動閉鎖させてスペーサーに重ねるときに、ハーネスが両者間に挟まれるといった不都合を未然に回避できるのである。
【００２９】
手段１５：手段３の遊技機において、
前記係止片は、ハーネス挿通溝部の上部に、該ハーネス挿通溝部の少なくとも一部を横切るように設けられていることを特徴とする。
このように、ハーネス挿通溝部の上部に、ハーネスを押さえ込む係止片を、該ハーネス挿通溝部の少なくとも一部を横切るように設けたことで、ハーネスを設置するときに、該ハーネス挿通溝部の内部に納めて抑えこむことができて、基板ケースを扉のように回動閉鎖させてスペーサーに重ねるときに、ハーネスが両者間に挟まれるといった不都合を未然に回避できるのである。
【００３０】
手段１６：手段１、４、６乃至１２、１４の遊技機において、
前記ハーネス挿通溝部の上部には、ハーネスを押さえ込む２個の係止片が、互いに所定の間隔を隔て、且つ、該ハーネス挿通溝部の一側から他側に向けて、所定の間隙を残して、横切るように設けられていることを特徴とする。
このように、前記ハーネス挿通溝部の上部に、ハーネスを押さえ込む２個の係止片を、互いに所定の間隔を隔て、且つ、該ハーネス挿通溝部の一側から他側に向けて、所定の間隙を残して、横切るように設けたことで、ハーネスを設置するときに、該ハーネス挿通溝部の内部に納めて、離れた二箇所で確実に抑えこむことができて、基板ケースを扉のように回動閉鎖させてスペーサーに重ねるときに、ハーネスが両者間に挟まれるといった不都合を未然に回避できるのである。
そして、前記係止片とハーネス挿通溝部との間に所定の間隙を残すことによって、この間隙を通して、ハーネスをハーネス挿通溝部から引き出すことができ、ハーネスの着脱が必要な場合に、簡単にこれを行い得る。
【００３１】
手段１７：手段３の遊技機において、
前記係止片は、ハーネス挿通溝部の上部に、互いに所定の間隔を隔て、且つ、該ハーネス挿通溝部の一側から他側に向けて、所定の間隙を残して、横切るように２個設けられていることを特徴とする。
このように、前記ハーネス挿通溝部の上部に、ハーネスを押さえ込む２個の係止片を、互いに所定の間隔を隔て、且つ、該ハーネス挿通溝部の一側から他側に向けて、所定の間隙を残して、横切るように設けたことで、ハーネスを設置するときに、該ハーネス挿通溝部の内部に納めて、離れた二箇所で確実に抑えこむことができて、基板ケースを扉のように回動閉鎖させてスペーサーに重ねるときに、ハーネスが両者間に挟まれるといった不都合を未然に回避できるのである。
そして、前記係止片とハーネス挿通溝部との間に所定の間隙を残すことによって、この間隙を通して、ハーネスをハーネス挿通溝部から引き出すことができ、ハーネスの着脱が必要な場合に、簡単にこれを行い得る。
【００３２】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００３３】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００３４】
図１ないし図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリル−ブタジエン−スチレン）樹脂から成る。こうすることで、粘性が高く衝撃に強くでき、低コストで製造できるという利点が発揮される。
【００３５】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００３６】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００３７】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００３８】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２ｂ内に嵌まり込むようにして取り付けられている。
つまり、この前面枠１４の側面の少なくとも一部が内枠１２の外側壁（リブ）１２ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００３９】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００４０】
図４に示すように、内枠１２は、外形が矩形状の樹脂ベース２０を主体に構成されており、樹脂ベース２０の中央部には略円形状の窓部孔２１が形成されている。
そして、樹脂ベース２０の後側には、図４及び図５に示す遊技盤３０が着脱可能に装着されている。図５に示すように、遊技盤３０は四角形状の合板よりなり、上部一方のコーナーが肩落ちされており（後に述べる）、その周縁部が樹脂ベース２０（内枠１２）の裏側に当接した状態で取着されている。
【００４１】
従って、遊技盤３０の前面部の略中央部分が樹脂ベース２０の窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００４２】
次に、図５を用いて遊技盤３０の構成を説明する。図５は遊技盤３０の構成を示す正面図である。遊技盤３０の左右やや下方位置には、２組一対の一般入賞口３１、３１が階段状に配置され、中央下方には、始動口３３が配置されている。これら一般入賞口３１、３１および始動口３３は、遊技領域から裏面へ向けて貫通する開口となっており、これらの開口に対応して入賞装置が取り付けられている。即ち、此れらに対応した入球検出センサが、遊技盤３０の背面に設けられており、これらのセンサは、図示しない電気配線を通じて後述する主制御基板（主制御装置）に接続されている。
そして、この一般入賞口３１、３１及び始動口３３に遊技球が入球した場合には、上記各検出センサで検出され、この検出センサの出力に基づいて、上皿１９（または下皿１５）へ所定数の賞品球が払い出されると共に、始動口３３に遊技球が入球した場合には、後述する抽選が開始されることになる。
【００４３】
尚、上記入賞感知センサにて各々検出された検出結果は、後述する主制御基板に取り込まれ、該主制御基板よりその都度の入賞状況に応じた払出指令（遊技球の払出個数）が払出制御基板に送信される。そして、該払出制御基板の出力により所定数の遊技球の払出が実施される。
かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００４４】
また、遊技盤３０の中央には液晶パネルを用いた装飾図柄表示装置４２が配置されており、その左右横側部には、スルーゲート３４，３４が配置されている。これらのスルーゲートは、遊技球の通過によって、後述の始動口３３の羽根物を開閉作動させる。
その他に、遊技盤３０の左右下方位置には、上記一般入賞口３１、３１を備えた装飾部材３５が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００４５】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００４６】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００４７】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００４８】
また、レールユニット５０の外周部には、外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００４９】
内レール５１および外レール５２間の球案内通路の入口には、同球案内通路の一部を閉鎖するようにして凸部５７が形成されている。この凸部５７は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図５のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図７のＳ１，Ｓ２）を貼着することで、遊技盤３０と証紙との一義性を持たせることができる。
【００５０】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領域の下側限界位置は遊技盤３０の下端位置によって特定される。また、遊技領域の上側限界位置は外レール５２によって特定される。
【００５１】
前記樹脂ベースにおいて、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００５２】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００５３】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部５７に当たり、ファール球通路に誘導される、これにより、ファール球の全てがファール球通路に確実に案内されるようになり、ファール球と次に発射される遊技球との干渉が抑制される。
【００５４】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００５５】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００５６】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００５７】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パチンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００５８】
ここで、前述した前面枠１４について、図１乃至図４を参照しつつより詳細に説明する。
前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００５９】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００６０】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の電飾ランプ、ＬＥＤが存在するが、こうした発光部も演出装置７００の一部を構成する。
【００６１】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００６２】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６３】
（パチンコ機の背面構成）
図６及び図７は、パチンコ機１０の背面図と、セット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）等が取り付けられている。
【００６４】
本実施形態では、各種制御基板を３つの制御基板にユニット化し、これら制御基板ユニットを個別に内枠１２または遊技盤３０の裏面に装着するようにしている。ここでは便宜上、これらのユニットを「第１制御基板ユニット２０１」、「第２制御基板ユニット２０２」および「第３制御基板ユニット２０３」と称することとする。この場合、第１制御基板ユニット２０１および第２制御基板ユニット２０２として、主制御基板と音声ランプ制御基板とがそれぞれ取付台に搭載してユニット化され、第３制御基板ユニット２０３として、払出制御基板、発射制御基板および電源基板が、セット板４００の第２パーツを構成する排出通路盤にユニット化されている。
【００６５】
第１制御基板ユニット２０１、第２制御基板ユニット２０２および第３制御基板ユニット２０３は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２、２０３やその他構成が前後に重ねて配置されても、隠れた構成等を容易に確認することを可能とするための工夫でもある。
【００６６】
図５に示す一般入賞口３１、始動口３３に入賞した遊技球は何れも前記裏枠セットの回収通路を介して集合し、さらに排出通路盤の排出通路２１８を介してパチンコ機１０外部に排出される。なお、アウト口３６（図５参照）も同様に排出通路に通じており、何れの入賞口にも入賞しなかった遊技球も排出通路２１８を介してパチンコ機１０外部に排出される。
【００６７】
その他、図６に示すように、内枠１２の背面構成において、遊技盤３０の右下部には、後述する払出機構部３５２より払い出される遊技球を上皿１９、下皿１５、または排出通路の何れかに振り分けるための遊技球分配部が設けられている。
【００６８】
第１制御基板ユニット２０１は、遊技盤３０の裏面側に配設され、制御基板を収容する第１基板ケース２０１Ａを有し、この第１基板ケース２０１Ａに主制御装置２６１が搭載されている。ここで、主制御装置２６１は、主たる遊技の制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる後述の第１基板ケースに収容された構成とされる。
【００６９】
第２制御基板ユニット２０２は、台座に音声ランプ制御装置が搭載された構成を有し、装飾図柄表示装置４２の裏面側を覆う位置に配置され、遊技盤３０に取り付けられている。音声ランプ制御装置は、音声ランプ基板を具備している。
【００７０】
第３制御基板ユニット２０３は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００７１】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００７２】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされ、セット板４００の上部から側部にかけて配置された概略逆Ｌ字状をなす払出ユニットならびに下部に配置された排出通路盤とともに、第３制御基板ユニット２０３を構成している。
【００７３】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００７４】
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１１に固定のブラケット７２６（上端部）（下端部は図外）に、内枠１２に固定の取り付け金具を枢着することで構成されている。
【００７５】
ここで、上述したエラー状態などの状態報知について図１及び図６に基づいて述べる。［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図６に示すモニターＬＥＤ８１１が消灯し、状態表示８１２が「１」を点滅表示する。
【００７６】
（下受け皿満タン）
下受け皿満タンの報知は、図１に示す右コーナーＬＥＤ８１３が点灯し、図６に示すモニターＬＥＤ８１１が消灯する。そして、状態表示８１２が「２」を点滅表示する。
【００７７】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００７８】
［電源に関するエラー報知］
（ヒューズ切れ１及びヒューズ切れ２）
ヒューズ切れ１は、図６に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００７９】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図６に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図６において、８１９は、遊技機電源コードを示し、８２０は、電源スイッチを示し、８２１は、外部接続アース線を示す。
【００８０】
次に、第１制御基板ユニット２０１について説明する。第１制御基板ユニット２０１には、主制御装置２６１が搭載され、該主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなるものである。
【００８１】
前記第１制御基板ユニット２０１は、第１基板ケース２０１Ａ、後述の開閉機構４１０および連結台座部材４３０を含み、第１基板ケース２０１Ａは、第１制御基板ユニット２０１の主要部をなす部材であり、図８乃至図１６に示すように、外側ケース（第１ケースまたは第２ケース）７０および内側ケース（第２ケースまたは第１ケース）８５を含む。この実施例では、外側ケース７０が主制御装置２６１の制御基板８０を収容する容積のある方であり、内側ケース８５がその蓋体に相当する方である。なお、外側ケース７０および内側ケース８５は、いずれを第１ケースとしてもよい。
この第１基板ケース２０１Ａは、前記外側ケース７０側に設けられる外側封印部７１と、前記内側ケース８５側に設けられる内側封印部８６と、その外側封印部７１と内側封印部８６とを連結する封印部材８７とを有し、その封印部材８７によって前記外側封印部７１と内側封印部８６とが連結されている場合に前記制御基板８０を取り出すときには第１基板ケース２０１Ａを破壊するか或いは所定の部位を切断することを必要とするものである。
【００８２】
前記外側ケース７０の外側封印部７１と内側ケース８５の内側封印部８６とは対を成すもので、この実施例では、個別に使用することのできる４個の封印部（封印、開封の再使用不可）から構成されており、それぞれを、封印部材８７を用いて封印するよう構成されたものであり、こうした封印構造は、公知に属するものと変わらないものであるから、ここでの詳細説明は省略する。
【００８３】
図８は、遊技球が流下する遊技領域を前面側に形成してある遊技盤３０の裏面の斜視図である。図９は、第１基板ケース２０１Ａを開閉機構４１０から取り外した状態を示す。
【００８４】
上記開閉機構４１０は、第３部材としての回動連結のための軸４１１を備え、一端側、即ち、コの字形に折り曲げられた一枚の支持板（約２ｍｍ厚の鋼板）からなる第１部材としての支持体４１２が、図１６に示すようにそのコの字の底部部分で遊技盤３０の裏面側にネジで固定され、他端側は、その軸４１１を基点にして回動するように枢着された第２部材としてのブラケット４１３で構成されている。前記軸４１１は、リベット構造であり、その両端部を変形させることよって容易に抜き取り出来ないようにされている。
【００８５】
前記第１部材としての支持体４１２のコの字の底部部分にはネジ孔が設けられ、図１６に示すように、遊技盤３０の裏面と球集合板４６０（入賞装置に入球した遊技球を受けて下方へ誘導する排出通路が形成されているもの）との間でネジ固定され、球集合板４６０の開口部４６１（又は切り欠き部）を介して遊技機の裏面側に向かう方向に突出する。そして、このブラケット４１３は、板状体で構成されて第１係合部４１４（後述の連結台座部材４３０に対する）に構成され、その第１係合部４１４には、図１７に示す切り欠き係合部４１５が形成されている。この切り欠き係合部４１５は、切り欠き部分の両側の先端部が互いに対向する方向に鉤状に突出し、全体として概略Ｃ字形状となるように形成されている。
【００８６】
上記構造とすることにより、球集合板４６０を遊技盤３０に取り付けた後は支持体４１２が外側から取り外せない状態となるので、例えば後述する第１基板ケース２０１Ａを不正に取り外したりすることがより困難となる。
【００８７】
上記球集合板４６０については、その外周部の複数個所を遊技盤３０の裏面に対して固定するが、そのうちの少なくとも一つが固定解除できないように、破断ネジ等でするか、ビス留めしたあと、ビス頭部を覆うキャップを取り付けるようにする等して、球集合板４６０が遊技盤３０から容易に外されるのを防止する構造としてもよい。
【００８８】
破断ネジは、螺合させて締結（本締め）するのに必要な程度のトルクで回転させて締結した後、さらに大きい所定の高トルクで回転させると破断する破断部を備えるネジであり、具体的には例えば図１５に示す破断ネジＫのように、頭部Ｋ１０および軸部Ｋ２０で構成され、頭部Ｋ１０が、外側頭部Ｋ１１および内側頭部Ｋ１２が軸方向に並置するように形成された構成を有し、外側頭部Ｋ１１と内側頭部Ｋ１２との間に、くびれるようにテーパ状に細径化した形状を有する破断部Ｋ１３が設けられたものとなっている。使用時には、ドライバを外側頭部Ｋ１１の溝に嵌合し必要なトルクで回転させて軸部Ｋ２０を締結対象部材のネジ孔に螺入し本締めした後、外側頭部Ｋ１１をさらに高トルクで回転させると破断部Ｋ１３で破断して外側頭部Ｋ１１が離脱し、以降はドライバにより破断ネジＫを回転させることができずその取り外しが不可能となる。
【００８９】
上記切り欠き係合部４１５は、後述の第２係合部４３３とでもって、第１係合部４１４の抜け出し防止の規制機構４４０を構成する。前記ブラケット４１３（約２ｍｍ厚の鋼板）には、図１７に示すように、前記支持体４１２に枢支連結される一枚の支持板からなる支持部４１３ａが形成されており、その支持部４１３ａは、ブラケット本体部から直角に折り曲げられて側面視で門型に形成されている。
【００９０】
尚、前記第１基板ケース２０１Ａは、既述の通り、外側封印部７１を備える外側ケース７０と内側封印部８６を備える内側ケース８５を有し、主に外側ケース７０の内部に遊技を制御する制御基板を収容する構成のものである。
【００９１】
次に、図９乃至図２０に基づいて、連結台座部材４３０について述べる。
この連結台座部材４３０は、前記開閉機構４１０と前記第１基板ケース２０１Ａとにそれぞれ連結されるものであり、言わば従来から用いられていた基板ケースを取り付けるための台座に相当するものであって、合成樹脂で成型されており、ここでは、幅は、前記第１基板ケース２０１Ａの幅と実質的に同じ幅（約１５０ｍｍ）で、長さが約４８ｍｍ（第１基板ケース２０１Ａの長手方向に向かう長さ）、厚みが１３ｍｍ、肉厚は、２ｍｍのものであり、第１基板ケース２０１Ａの内側ケース８５の側面に接当する側が開放され、リブが多数設けられ、破断ネジ４３９を収容する収容部４３１が、ここでは３個形成されており、そこに破断ネジ４３９がそれぞれ１本づつセットされるようになっているが、周壁、リブの端面は同じレベルに形成され、内側ケース８５の側面に密着接当可能にされており、反対側の側面（遊技盤３０側）は、平坦に形成されている。
【００９２】
前記第１基板ケース２０１Ａのうち、前記連結台座部材４３０と連結封止される部位である第１台座封止部４５０が、その内側ケース８５の端部に設けられており、ここでは該第１基板ケース２０１Ａの幅方向に、所定の間隔を隔てて４個突設されている。この第１台座封止部４５０は、外側ケース７０の外側封印部７１と内側ケース８５の内側封印部８６との位置と平面視で位相がずれるように変位して配置されており、従って、第１基板ケース２０１Ａを背面から（遊技機の背面から）見たときに、前記外側封印部７１と内側封印部８６に重なることなく、視認できる状態にある。
即ち、前記外側封印部７１と内側封印部８６の位置する側に前記第１台座封止部４５０が配置され、且つ、前記第１基板ケース２０１Ａの背面視（正面）において、前記第１台座封止部４５０が見えるように前記外側および内側封印部７１、８６と平面位相をずらせて配置されているのである。
【００９３】
そして、前記連結台座部材４３０には、前記第１基板ケース２０１Ａの前記第１台座封止部４５０と連結封止される部位である第２台座封止部４３２が、ここでは、４個が、前記４個の第１台座封止部４５０と対応する位置に突設されている。この１個の第２台座封止部４３２の構造は、この連結台座部材４３０の本体に繋がるリブに、有底のネジ止め凹部を有する突起体が一体成型されており、そのリブの底面と有底部分の底面は面一で、且つ、前記収容部４３１のリブ及び周壁のレベルと面一とされている。
そして、前記第１、及び第２台座封止部４５０、４３２は、破断ネジを用いて連結封止される。
【００９４】
前記連結台座部材４３０の内部に、前記開閉機構４１０の前記第１係合部４１４と係合する部位である第２係合部４３３Ｃ、４３３Ｄ（図１８参照）が設けられる。この第２係合部４３３Ｃ、４３３Ｄは、この実施例では、前記連結台座部材４３０の本体とは別体成型の後述する第２被覆部材４３０Ｂに取り付けられる。勿論、別体の第２被覆部材４３０Ｂが存在せず、第２係合部４３３が連結台座部材４３０の樹脂成型時に埋め込まれたり、或いは、それ自体の弾性変形を利用して、連結台座部材４３０に形成された挿入部４３４の内部に挿入設置されるように構成されてもよいものである。
【００９５】
前記第２係合部４３３Ｃ、４３３Ｄは、ここでは、弾性を備えた一枚の薄い板体（鋼板）で構成され、その所定箇所をコの字に打ち抜いて舌片４３３ｄ（図示、但し他方の舌片は対象位置にあるが図では示されていない）を形成し、該舌片４３３ｄをコの字の付け根部で曲げることで弾性係合爪を形成し、且つ、前記第１係合部４１４を金属製の平板状体で構成し、そこに切り欠き係合部４１５を形成することによって、該切り欠き係合部４１５に前記舌片４３３ｄの係合爪を係合させることによって、抜け出し防止の規制機構４４０Ｄを構成しているのである。そして、前記開閉機構４１０の前記第１係合部４１４を挿入して前記連結台座部材４３０の内部の前記第２係合部４３３Ｃ、４３３Ｄに係合させるために前記連結台座部材４３０に、挿入部４３４が形成されている。
【００９６】
このように、前記規制機構４４０Ｄは、前記第１係合部４１４と前記第２係合部４３３Ｃ、４３３Ｄとの係合において、前記開閉機構４１０の第１係合部４１４が前記挿入部４３４に挿入されて前記第２係合部４３３Ｃ、４３３Ｄと係合されたあとにその挿入方向とは逆の抜き出す方向への移動を規制するものである。
【００９７】
なお図１０には、図示を明確化するため、第１係合部４１４を前記挿入部４３４に挿入した状態で、第２部材すなわちブラケット４１３ごと第１基板ケース２０１Ａが球集合板４６０から分離した状態が示されているが、実際のパチンコ機１０においては、ブラケット４１３は第１基板ケース２０１Ａ側（連結台座部材４３０）よりも先に、球集合板４６０側（第１部材すなわち支持体４１２）に取り付けられた構造となっている。
【００９８】
ここで、更に、前記連結台座部材４３０について詳述する。前記第２係合部４３３Ｃ、４３３Ｄを被覆するべく前記連結台座部材４３０には、第１被覆部材４３０Ａと第２被覆部材４３０Ｂが備えられている。第１被覆部材４３０Ａが前記連結台座部材４３０に一体形成されたもので、第２被覆部材４３０Ｂは、前記連結台座部材４３０に組み合わせるよう別体構成とされ、且つ、その少なくとも一方、ここでは第１被覆部材４３０Ａに凹面が形成され、他方、即ち、第２被覆部材４３０Ｂに対向するよう組み合わせることで前記第１係合部を挿入するための前記挿入部４３４を形成している。具体的には、前記挿入部４３４は、その入口が、入口側から内部に向かって幅狭となるようにテーパ状に形成され、且つ、挿入方向に沿って複数、ここでは４本の案内リブが形成されている。
【００９９】
そして、この第２被覆部材４３０Ｂに、前記第２係合部４３３Ｃ、４３３Ｄが設けられるが、その第２係合部４３３Ｃ、４３３Ｄの薄板を、第２被覆部材４３０Ｂに形成した係止突片４３０Ｃに、その入口の側からスライド挿入して係止させ、且つ、ネジ止めされる。
前記第２被覆部材４３０Ｂは、前記第１被覆部材４３０Ａよりも小さく構成され、前記連結台座部材４３０と前記第１基板ケース２０１Ａとが連結した状態においては、前記第２被覆部材４３０Ｂの取り外し方向側に前記第１基板ケース２０１Ａが位置された状態となり、前記第１基板ケース２０１Ａと前記第１被覆部材４３０Ａとにより被覆された状態となるように構成されているものである。
【０１００】
また、前記連結台座部材４３０は、前記第１基板ケース２０１Ａよりも小さく構成され、前記第１基板ケース２０１Ａのうち、基板裏面側で一端側に寄せて連結されるように構成されているものである。
【０１０１】
更に、上述した通り、前記第１及び第２被覆部材４３０Ａ、４３０Ｂを透明樹脂により成型し、これらに被覆される第２係合部４３３Ｃ、４３３Ｄを金属製の係合部材により構成してある。
前記第１基板ケース２０１Ａの側面に、係止リブ４２０、４２０、４２０が前記連結台座部材４３０の略周部に沿って配置されて突出するように備えられ、該係止リブ４２０、４２０、４２０に所定の方向、即ち、第１基板ケース２０１Ａの裏面に沿って第１、第２台座封止部や第１連結部の位置する側から第１基板ケース２０１Ａの中央側に向けてスライド移動させることによって、係合するリブ係合部４３５が前記連結台座部材４３０の側部に設けられると共にその一つの係止リブ４２０が、前記連結台座部材４３０の収容部４３１の周壁の内側に形成されたリブ係合部４３６に係合するように設けられている。
【０１０２】
前述の別体構成の前記第２被覆部材４３０Ｂの両側部にカム面を備えた係合片４３０Ｄ、４３０Ｄが突設され、前記連結台座部材４３０の内部に前記係合片４３０Ｄ、４３０Ｄに係合する門型の係合部４３０Ｅ、４３０Ｅがそれぞれ設けられ、前記第２被覆部材４３０Ｂを前記連結台座部材４３０に対して押し付けることで前記カム面作用により前記係合部４３０Ｄ、４３０Ｄの素材の弾性変形を利用して門型の係合部４３０Ｅ、４３０Ｅへの係合が行われるように構成されている。
【０１０３】
本実施形態のパチンコ機１０においては、遊技機に取り付けられた第１制御基板ユニット２０１が遊技盤３０の裏面に対して開閉することにより、遊技盤裏面の設置物に対しての検査、メンテナンスが容易に行い得るのである。
そして、封印部により封印されることにより、制御基板に対して不正な改変を行ったり、不正品に交換されることを防止でき、また、第１、第２台座封止部４５０、４３２により連結封止することによって、第１制御基板ユニット２０１を不正品に交換されることを防止できる。
【０１０４】
更に、連結台座部材４３０に対して開閉機構４１０を簡単な操作により装着できるので、作業性が向上するのであり、そして、第１係合部４１４と第２係合部４３３とを一度係合させるとその解除が規制機構４４０Ｄによって規制され、係合部分は被覆されているので、連結状態の第１基板ケース２０１Ａおよび開閉機構４１０、即ち第１制御基板ユニット２０１ごと不正に持ち去ることを防止できるのである。
【０１０５】
次に、第１被覆部材４３０Ａが前記連結台座部材４３０に一体形成されるのに対し、第２被覆部材４３０Ｂが前記連結台座部材４３０に組み合わせるよう別体構成とされることで、第２係合部４３３Ｃ、４３３Ｄを被覆することを行い得ながら、第２係合部４３３Ｃ、４３３Ｄを第２被覆部材４３０Ｂに備えておいて、これを後に組み合わせるという作業で、この、第２係合部４３３Ｃ、４３３Ｄを前記連結台座部材４３０の内部に備えることができる。
【０１０６】
また、前記連結台座部材４３０と前記第１基板ケース２０１Ａとが連結した状態においては、第２被覆部材４３０Ｂが前記第１基板ケース２０１Ａの側に位置して、前記第１被覆部材４３０Ａとで挟まれた状態となって第２係合部４３３Ｃ、４３３Ｄの被覆が行われ、その被覆が容易に外れない。
【０１０７】
更に、連結台座部材４３０は、前記第１基板ケース２０１Ａよりも小さく構成され、前記第１基板ケース２０１Ａのうち、基板裏面側で一端側に寄せて連結される構成であるので、従来のような基板ケースと同等の大型の台座を必要とすることがない状態で、その第１基板ケース２０１Ａの開閉を行い得るのである。
【０１０８】
更に、前記第１及び第２被覆部材４３０Ａ、４３０Ｂを透明樹脂により成型し、これらに被覆される第２係合部４３３Ｃ、４３３Ｄを金属製の係合部材により構成してあることで、第１係合部４１４と第２係合部４３３Ｃ、４３３Ｄの係合状態が確実におこなわれているかどうか外部から視認でき、また、強固な係合がされていることが視認されることで、安易な取り外しが行われないようにすることができる。
【０１０９】
また、前記第２係合部４３３Ｃ、４３３Ｄを板金で構成してその一部を変形させることで第１係合部４１４に対する係合を行う構成であるので、極めて構造が簡単であり、同時に、係合状態の解除が容易に行われないものである。
【０１１０】
更に、挿入部４３４の入口をテーパ状として、且つ、案内リブを設けることで、第１係合部４１４の挿入を容易にすることができると共に内部への侵入がガイドされてスムースに行い得るのである。
【０１１１】
また、外側ケース７０の前記外側封印部７１と内側ケース８５の内側封印部８６の位置する側に前記第１台座封止部４５０及び第２台座封止部４３２が配置されるものの、前記第１、及び第２台座封止部４５０、４３２が見えるように前記外側および内側封印部と平面位相をずらせて配置されていることで、前記第１、及び第２台座封止部４５０、４３２が前記第１基板ケース２０１Ａの背面視（正面）において、視認可能となり、前記第１、及び第２台座封止部４５０、４３２が不正に解除されているかどうか容易に分かるのである。
【０１１２】
また、第１基板ケース２０１Ａの側面に、係止リブ４２０を突出するように設け、前記連結台座部材４３０を係止させて位置決めすることができ、その後の前記第１台座封止部４５０及び第２台座封止部４３２の連結が行い易いのである。
【０１１３】
更に、前記第２被覆部材４３０Ｂを連結台座部材４３０に取り付けるに、第２被覆部材４３０Ｂのカム面を備えた係合片４３０Ｄと、連結台座部材４３０の前記係合片４３０Ｄに係合する係合部４３０Ｅの存在によって、第２被覆部材４３０Ｂを連結台座部材４３０に向けて押圧するだけで、素材の弾性変形でもって係合が行われることになり、簡単に組み付けができる。
【０１１４】
また、連結台座部材４３０に、破断ネジ４３９を収容する収容部４３１を設けることで、第１基板ケース２０１Ａの定期検査等で封止を解いた後に、そこから破断ネジ４３９をとり出して、再び新たな第１台座封止部４５０と第２台座封止部４３２との封止を行うことができる。
【０１１５】
上記開閉機構４１０の他端側である第２部材、第１、第２台座封止部４５０，４３２を、破断ネジで連結させてもよい。
例えば、製造時において開閉機構端部を連結台座部材挿入口に挿入して連結する操作に際し、第１、第２台座封止部の間に、前記開閉機構４１０の他端側である第２部材の一部が入り込む（挟まれる）ように構成されており、次回以降の連結封止では、これら３部品を一つの破断ネジで留めるようにする。この開閉機構４１０の他端側である第２部材は、第３台座封止部を構成するもので、前記ブラケット４１３の本体部の両側部から、前記支持部４１３ａとは反対側に向けて延設され、且つ、その後にブラケット本体部と平行になるように曲折された細幅の取り付け板４１６からなり、その取り付け板４１６に２個一対のネジ孔（後述の連結台座部材４３０と第１基板ケース２０１Ａに対する）が形成されている（ネジ孔ではあるがネジ切りはされていない；図２０参照）。
【０１１６】
また、第１台座封止部４５０に形成された切断部４５０Ａ（図９他参照）を切断して、破断ネジは第２台座封止部及び第２部材に残すようにすれば連結封止を解除できる。
更に、別の変形例として、第１、第２連結部の両方に切断部を形成し、破断ネジを第２部材に残すようにしてもよい。
【０１１７】
また、この例では、第１係合部４１４を構成する金属製の平板状体を方形状に打ち抜いて開口係合部４１７が形成されており、該開口係合部４１７に前記第２係合部４３３Ｃ、４３３Ｄの舌片４３３ｄの係合爪を係合させることによって、抜け出し防止の規制機構４４０Ｄが構成されている。
【０１１８】
遊技盤３０の裏面と第１制御基板ユニット２０１との間には、スペーサー（中間部材）５０１が介装されている。図１４及び図１６に示すように、遊技盤３０の裏面には球集合板４６０が設けられ、第１制御基板ユニット２０１はこの球集合板４６０に外側から取り付けられる構成となっているが、該球集合板４６０と第１制御基板ユニット２０１との間には、若干の間隙が形成されている。パチンコ機１０の機種によっては、遊技盤３０の裏面の設計に応じて、当該部位の寸法（奥行）が異なる。このため、この寸法の変動に対応できるように、球集合板４６０と第１制御基板ユニット２０１との間には、若干の余裕、すなわち間隙が形成されているのである。前記スペーサー（中間部材）５０１は、この球集合板４６０と第１制御基板ユニット２０１との間の間隙を補填するためのものであり、当該間隙にほぼ対応した寸法を有するものとなっている。
【０１１９】
上記スペーサー（中間部材）５０１は、球集合板４６０に対向する面が開放された概略横長で中空の箱形の形状を有し、その上端部にはほぼ矩形状の切欠部５１１が形成されている。この切欠部５１１は、球集合板４６０と第１制御基板ユニット２０１とを電気的に接続するスペースを確保するためのものである。
【０１２０】
上記スペーサー（中間部材）５０１の内部には、図１４に示すように、複数のリブ５１２が形成されている。このリブ５１２は、スペーサー（中間部材）５０１の補強の機能だけでなく、該スペーサー（中間部材）５０１の内部に不正基板を設置し得るスペースが形成されないようにするという機能も奏するものである。また、このリブ５１２は、球集合板４６０側に設けた電気部品等に接当しないように区画配置されると共にその高さが部分的に変えられている（リブの外縁面が同じレベルではない）。
【０１２１】
上記スペーサー（中間部材）５０１は透明樹脂よりなるものであり、これにより、内部での不正行為の有無等が外側から容易に視認することができ、したがって不正をより効果的に防止し得るようになっている。勿論、その素材は、透明樹脂でなく、半透明或いは不透明な素材で成形されてもよい。
【０１２２】
上記スペーサー（中間部材）５０１の一方端部には、上下１対の板状のブラケット５１３が突設されている。該ブラケット５１３の先端部には孔または切欠が形成されており、一方、前記球集合板４６０における前記開閉機構４１０形成側端部とは反対側の端部（図１４および図１６では右側端部）には、上下１対の軸４６２がそれぞれ上方に突出するように設けられており、この軸４６２に前記スペーサー（中間部材）５０１のブラケット５１３が挿通され、これにより、スペーサー開閉手段４６６が構成され、以って、上記スペーサー（中間部材）５０１は一方端部で軸４６２を中心として水平面上で回動可能に軸支され開閉可能となっている。即ち、該スペーサー（中間部材）５０１の開閉軸線はパチンコ機１０の背面からみて前記開閉機構４１０形成側端部の反対側（図１４および図１６の右側）で上下に延びるように設定されており、この開閉軸線を軸心にしてスペーサー（中間部材）５０１が後方側に十分に開放できるようになっている。
【０１２３】
前記第１基板ケース２０１Ａは、図１３に示すように開閉機構４１０により該開閉機構４１０形成側端部（図１３では左側端部）で回動させて一方側へ（図１３では左方に）開放し得るようになっているが、上記のようなスペーサー（中間部材）５０１の支持構造とすることにより、該スペーサー（中間部材）５０１は図１４に示すように第１基板ケース２０１Ａとは逆方向に（図１４では右方に）開放し得るようになっている。すなわち、該スペーサー（中間部材）５０１と第１基板ケース２０１Ａとが、左右逆方向に開閉し得る構造、さらに具体的にいえば、左右から折り重ねるようにして閉じ得るとともに、その閉じた状態からそれぞれ左右に開放し得る構造となっている。
【０１２４】
上記スペーサー（中間部材）５０１の自由端部側（図９及び図１１では左端部側）およびこれに対応する球集合板４６０上の位置には、スペーサー（中間部材）５０１と球集合板４６０とを封止するための封止手段が設けられている。この封止手段は、第１封止部５２０ａと第２封止部５２０ｂとを有している。この第１封止部５２０ａおよび第２封止部５２０ｂについて以下順次説明する。
【０１２５】
図２０に示すように、第１封止部５２０ａは、球集合板４６０に遊技盤３０側から挿通されてスペーサー（中間部材）５０１を球集合板４６０に固定する固定手段であるネジ５１９と、球集合板４６０の遊技盤３０側に設けられネジ５１９が挿通される孔を底部に有する凹部４６５と、スペーサー（中間部材）５０１に設けられネジ５１９が挿入され固定される挿入部５１４と、ネジ５１９による固定状態を解除するために挿入部５１４に設けられた切断部５１４Ａとから構成されている。
【０１２６】
スペーサー（中間部材）５０１の自由端において球集合板４６０に当接する上下２箇所のコーナー部からは、それぞれ、上下１組の方形状の延出片が、互いに平行となるように、水平に平伏した状態で、スペーサー（中間部材）５０１の長さ方向に沿って延出し、上下１組の延出片のうち内側に位置する延出片の先端部が外方に屈曲して外側の延出片に向かって延び、これら上下の延出片の先端部分が、スペーサー（中間部材）５０１の奥行方向に沿って延びる円筒状部を支持するような形状となるように、スペーサー（中間部材）５０１のコーナー部が成形されている。上記円筒状部の内部にはネジ溝が形成されてネジ５１９が螺入し得るようになっており、この円筒状部が挿入部５１４となっている。また、上記上下１組の方形状の延出片は、ネジ５１９による固定状態を保持するのに十分な強度を有するとともに、ニッパ等の適宜手段により容易に切断し得る肉厚を有するものとなっており、この延出片が切断部５１４Ａとなっている。
【０１２７】
一方、球集合板４６０において上記スペーサー（中間部材）５０１の上下のコーナー部に対応する位置にはそれぞれ、凹部４６５が設けられている。下側の凹部４６５は、球集合板４６０の取付面（遊技盤３０側面）から円形の平面形状をなして陥入し、その底部にはネジ挿通孔が穿設された構成となっている。上側の凹部４６５は、球集合板４６０の取付面（遊技盤３０側面）から、下側の一隅を部分円状に角落ちさせた概略方形状の平面形状をなして陥入し、その底部にはネジ挿通孔が穿設された構成となっている。上下の凹部４６５のネジ挿通孔にはそれぞれ、遊技盤３０側からネジ５１９が挿通され、該ネジ５１９の頭部が凹部４６５内に収容されるとともに、軸部が前記スペーサー（中間部材）５０１の挿入部５１４に螺合し、これによりスペーサー（中間部材）５０１の自由端部が球集合板４６０に固定されるようになっている。
【０１２８】
球集合板４６０が遊技盤３０に取り付けられた状態では、球集合板４６０の凹部４６５がネジ５１９のネジ頭を収容して遊技盤３０により閉塞された状態、すなわちネジ５１９のネジ頭が球集合板４６０と遊技盤３０との間に挟まれた状態となるため、外部からネジ５１９を取り外すことが不可能であり、これにより、スペーサー（中間部材）５０１と球集合板４６０とが封止されるようになっている。一方、たとえば球集合板４６０の裏側の点検などを目的としてスペーサー（中間部材）５０１を開放する場合には、前記切断部５１４Ａを切断することにより、スペーサー（中間部材）５０１と球集合板４６０との封止状態を外側から（パチンコ機１０の背面側から）、痕跡を残しながら解除することができる。
なお、固定手段として、ネジにかえてナイラッチ等を用いるようにしてもよい。ナイラッチは、頭部から延出する軸部の先端部が径方向に拡張するように成形されたナイロン製の締結具であり、締結対象の部材に設けた孔部に押し込んで弾性的に係合させることにより当該部材を締結するものである。
【０１２９】
第２封止部５２０ｂは、スペーサー（中間部材）５０１に背面側から挿通されてスペーサー（中間部材）５０１を球集合板４６０に固定する破断ネジ５２２と、スペーサー（中間部材）５０１に設けられ破断ネジ５２２が挿通される孔を底部に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されている。
【０１３０】
スペーサー（中間部材）５０１の自由端は、高さ方向における中段をなす帯域部分が内側に陥入して、正面視概略コ字状の形状を有しており、その陥入部分の底部から、高さ方向に長く延びる概略直方体状の基台部５１５Ｂが外側（スペーサー（中間部材）５０１の自由端側）に突出し、さらに該基台部５１５Ｂの外側端面から、破断ネジ挿通部５１５が外側に突出した形状となっている。基台部５１５Ｂの外側端面の上端部および下端部からは、それぞれ、上下１組の方形状の延出片が、互いに平行となるように、水平に平伏した状態で、スペーサー（中間部材）５０１の長さ方向に沿って延出し、上下の延出片の先端部同士がたがいに近接し合う方向に円弧状に湾曲するように延びて接合し、正面視半円状の周壁部５１５Ｃが形成されている。この周壁部５１５Ｃを含む上下の延出片は全体として正面視Ｕ字状に形成され、その先端部分の内側における奥行方向中央付近には、奥行方向に対し垂直となるように、即ち例えば遊技盤３０の裏面に対し平行となるように、底壁５１５Ｄが設けられ、該底壁５１５Ｄにはネジ挿通孔（図示せず）が穿設されている。上記周壁部５１５Ｃを含む上下の延出片および底壁５１５Ｄにより、破断ネジ挿通部５１５が構成されている。上記上下の延出片は、前記第１封止部５２０ａの切断部５１４Ａと同様に、十分な強度を有するとともに容易に切断し得る肉厚を有するものとなっており、また、前記底壁５１５Ｄは上下の延出片の先端部の間の空間のみを閉塞しこれより内側の脚部（立ち上がり部）の間の空間は閉塞しないように設けられていて、この脚部は奥行方向に貫通する形状となっている。このように構成されることにより、上記上下の延出片の脚部が第２封止部５２０ｂの切断部５１５Ａとなっている。
【０１３１】
一方、図１６に示すように、球集合板４６０において上記上下の破断ネジ挿通部５１５に対応する位置にはそれぞれ、螺入部４６３が設けられている。上下の螺入部４６３は、球集合板４６０における前記支持体４１２挿通用の上下の開口部４６１の間の位置から、背面側（スペーサー（中間部材）５０１側）へ延出する円筒状に形成され、その内部にはネジ溝が設けられて破断ネジ５２２が螺入され得るようになっている。
【０１３２】
図２０に示すように、スペーサー（中間部材）５０１を閉じて球集合板４６０に当接させた状態では、破断ネジ挿通部５１５の周壁部５１５Ｃの球集合板４６０側端縁も球集合板４６０に当接し、螺入部４６３の全体が該周壁部５１５Ｃにより包囲されるようになっている。この状態で、破断ネジ５２２が破断ネジ挿通部５１５に背面側（スペーサー（中間部材）５０１側）から挿通されて螺入部４６３に螺入され、これによりスペーサー（中間部材）５０１が球集合板４６０に固定される。破断ネジ５２２は所定の高トルクで回転させることにより外側頭部５２２ａと内側頭部５２２ｂとの間で破断して外側頭部５２２ａが分離し、内側頭部５２２ｂが破断ネジ挿通部５１５の内部に収容された状態で残留する。この状態では、ドライバによって破断ネジ５２２を回転させることはできず、しかも内側頭部５２２ｂは破断ネジ挿通部５１５の周壁部５１５Ｃで包囲されているため、痕跡を残さずに破断ネジ５２２を取り除くことは不可能である。これにより、スペーサー（中間部材）５０１と球集合板４６０とが封止された状態となる。一方、前記切断部５１５Ａを切断することにより、スペーサー（中間部材）５０１と球集合板４６０との封止状態を痕跡を残しながら解除することができる。
【０１３３】
スペーサー（中間部材）５０１の自由端は、前記したように中段をなす帯域部分が内側に陥入した正面視概略コ字状の形状を有しているが、その陥入部分を挟む上段および下段の突出部分の先端面には、それぞれ前記第１封止部５２０ａが設けられている。さらに、下段の突出部分の先端面において、第１封止部５２０ａの上方の位置に、破断ネジ挿通部５１６が設けられている。この破断ネジ挿通部５１６は、前記陥入部分の底部に設けられた破断ネジ挿通部５１５とほぼ同様の上下の延出片（周壁部を含む）および底壁を有する構成となっている。また、図１６に示すように、球集合板４６０において上記スペーサー（中間部材）５０１の下段の突出部分に設けられた破断ネジ挿通部５１６に対応する位置には螺入部４６４が設けられており、この螺入部４６４は前記螺入部４６３と同様に、背面側（スペーサー（中間部材）５０１側）へ延出する円筒状に形成され、その内部にはネジ溝が設けられて破断ネジ５２２が螺入され得るようになっている。本実施形態に示す第２封止部５２０ｂは、スペーサー（中間部材）５０１の陥入部分の底部に設けられた上下の破断ネジ挿通部５１５および突出部分に設けられた破断ネジ挿通部５１６と、これら破断ネジ挿通部５１５、５１６にそれぞれ対応するように球集合板４６０に設けられた螺入部４６３、４６４と、破断ネジ挿通部５１５、５１６のそれぞれに設けられた切断部５１５Ａ、５１６Ａと、破断ネジ５２２とで構成され、高さ方向に並ぶ３点でスペーサー（中間部材）５０１と球集合板４６０との封止がなされ得るようになっている。
【０１３４】
上記スペーサー（中間部材）５０１の陥入部分の底部に設けられた上下の破断ネジ挿通部５１５は、図９および図１１に示すように、前記開閉機構４１０におけるブラケット４１３の上下の支持部４１３ａの間に挟持されるような位置に形成され、これら支持部４１３ａの間のスペースをほぼ閉塞し、第１基板ケース２０１Ａを枢着する軸４１１であるリベットの頭部に近接している。
【０１３５】
図９乃至図１１ならびに図２２に示すように、上記スペーサー（中間部材）５０１の外側面（第１基板ケース２０１Ａ側面）における固定端部（図９、図１１及び図２２では右側端部）には、先端に係止爪が形成された矩形状の係止片５１７が後方に（第１基板ケース２０１Ａ側に）突出するように配設され、一方、第１基板ケース２０１Ａの自由端部には、矩形状の突起部８５１が側方に（図２２では右方に）突出するように配設されており、図２３に示すように該係止片５１７が突起部８５１に弾性的に係止し得るようになっている。この係止片５１７は、スペーサー（中間部材）５０１に一体成型されている。この係止片５１７は、上記スペーサー（中間部材）５０１の開閉に際しての閉じられた状態が保持されるようにするために用いられるものである。
【０１３６】
また、上記スペーサー（中間部材）５０１の外側面における自由端部には、図１１に示すように、矩形状凹部５１８が形成されている。この矩形状凹部５１８は、前記連結台座部材４３０の長さ（約４８ｍｍ）および厚み（約１３ｍｍ）にそれぞれほぼ等しい長さ（スペーサー（中間部材）５０１の長手方向に沿った長さ）および深さを有し、図９に示すように、内部に連結台座部材４３０をほぼ隙間なく収容することができ、収容状態で該連結台座部材４３０の外側面（開放側面）とスペーサー（中間部材）５０１の外側面とが面一となるようになっている。これにより、第１基板ケース２０１Ａとの間にできる限り間隙が形成されないようになっている。
【０１３７】
図２４に示すように、上記スペーサー（中間部材）５０１の内部に形成するリブの数を少なくするようにしてもよい。図２４に示す例では、リブの形成が前記実施例の場合よりも大幅に少なく、これに応じて区画された室数も少なくなっている。さらには、スペーサー（中間部材）５０１の内部にリブを形成せず、内部空間を区画しないようにしてもよく、あるいは、スペーサー（中間部材）の内部に適宜な材料を充填して内部空間を実質的になくすようにしてもよい。
【０１３８】
また、上記図２４に示す例では、スペーサー（中間部材）５０１内の壁面に、第２封止部５２０ｂ用の破断ネジ５２２を収容する破断ネジ収容部５２１が、ここでは３個形成されており、そこに破断ネジ５２２がそれぞれ１本づつセットされるようになっている。これにより、スペーサー（中間部材）５０１の封止を解除して開放するごとに、破断ネジを１本ずつ取り出し第２封止部５２０ｂの３箇所の破断ネジ挿通部５１５、５１６に挿通・螺合して次の封止を行うようにすることができ、未使用の破断ネジ５２２は封止した状態のスペーサー（中間部材）５０１の内部に確実に保持しておくことができる。この破断ネジ収容部５２１は、例えば、１本の破断ネジのみを収容する構成としてもよく、この場合にも、破断ネジを未使用の段階ではスペーサー（中間部材）の内部に保持しておくことができる。
【０１３９】
また、上記パチンコ機１０においては、スペーサー（中間部材）５０１の一方端部およびこれに対応する球集合板４６０の位置に、第１および第２封止部５２０ａ、５２０ｂで構成される封止手段を設けた構造としていたが、これと同様のまたは異なる封止手段を他方端部にも設け、これにより、スペーサー（中間部材）５０１の両端部を封止した状態で固定する構造とするようにしてもよい。この場合、前記スペーサー（中間部材）５０１の開閉構造（回動可能に軸支した構造）を設けた端部にさらに封止手段を設けるようにしてもよいが、両端部が封止手段により固定されるため、開閉構造は省略することができる。
【０１４０】
上記のように、遊技盤３０の裏面と第１制御基板ユニット２０１との間にスペーサー（中間部材）５０１が介装されていることにより、遊技盤３０の裏面と第１制御基板ユニット２０１との間の間隙が補填され、これによって、不正行為を行い得るようなスペースが形成されないようになっている。さらに、このスペーサー（中間部材）５０１が封止手段５２０により封止した状態で固定されていることにより、不正に取り外すことが困難となっており、もしこの封止が不正に破られたとしても、痕跡が残るため、封止が破られたことが一目瞭然であり、これにより不正行為が容易に発覚する。
【０１４１】
さらに、封止手段が第１封止部５２０ａと第２封止部５２０ｂとを有し、第１封止部５２０ａが、球集合板４６０に遊技盤３０側から挿通されてスペーサー（中間部材）５０１を球集合板４６０に固定する固定手段であるネジ５１９と、球集合板４６０の遊技盤３０側に設けられネジ５１９が挿通される孔を底部に有する凹部４６５と、スペーサー（中間部材）５０１に設けられネジ５１９が挿入され固定される挿入部５１４と、ネジ５１９による固定状態を解除するために挿入部５１４に設けられた切断部５１４Ａとから構成されているため、球集合板４６０が遊技盤３０に取り付けられた状態では外部からネジ５１９を取り外すことが不可能であり、これにより、スペーサー（中間部材）５０１が封止した状態で固定され、これを痕跡を残すことなく不正に取り外そうとすると球集合板４６０を遊技盤３０から取り外すことが必要となり、したがって不正行為を行うことが困難となっている。一方、たとえば球集合板４６０の裏側の点検などを目的としてスペーサー（中間部材）５０１を開放する場合に、切断部５１４Ａを切断することによって痕跡を残しながらスペーサー（中間部材）５０１の封止状態を解除することができる。また、球集合板４６０が遊技盤３０に取り付けられていない状態ではスペーサー（中間部材）５０１を自在に開放し得るため、作業性が良好である。
【０１４２】
さらに、第２封止部５２０ｂが、スペーサー（中間部材）５０１に背面側から挿通されてスペーサー（中間部材）５０１を球集合板４６０に固定する破断ネジ５２２と、スペーサー（中間部材）５０１に設けられ破断ネジ５２２が挿通される孔を底部に有する破断ネジ挿通部５１５、５１６と、球集合板４６０に設けられ破断ネジ５２２が螺入される螺入部４６３、４６４と、破断ネジ５２２による固定状態を解除するために破断ネジ挿通部５１５、５１６に設けられた切断部５１５Ａ、５１６Ａとから構成されているため、スペーサー（中間部材）５０１を破断ネジ５２２により球集合板４６０に外側から固定することができ、これにより、容易にスペーサー（中間部材）５０１を封止した状態で固定することができる。このとき、前記球集合板４６０が遊技盤３０に取り付けられた状態であっても、スペーサー（中間部材）５０１を破断ネジ５２２により球集合板４６０に外側から封止・固定することができるので、たとえば前記第１封止部５２０ａによる封止状態を解除した後に、第２封止部５２０ｂによって再度スペーサー（中間部材）５０１と球集合板４６０とを封止することができる。一方、たとえば球集合板４６０の裏側の点検などを目的としてスペーサー（中間部材）５０１を開放する場合には、切断部５１５Ａ、５１６Ａを切断することによって痕跡を残しながらスペーサー（中間部材）５０１の封止状態を解除することができる。
【０１４３】
さらに、第１制御基板ユニット２０１の一方端部が軸４１１により回動可能に枢着され、破断ネジ挿通部５１５が、第１制御基板ユニット２０１を枢着する軸４１１に近接していることにより、第１制御基板ユニット２０１を枢着部分から不正に取り外そうとしても、破断ネジ挿通部５１５が障害となって枢着部分を取り外すことが困難となっており、またスペーサー（中間部材）５０１は封止した状態で固定されているため、破断ネジ挿通部５１５を取り除こうとしても痕跡を残さずにこれを取り除くことは困難となっている。したがって不正行為がさらに効果的に防止される。
【０１４４】
さらに、スペーサー（中間部材）５０１の内部に、第２封止部５２０ｂ用の破断ネジ５２２を１本またはそれ以上収容する破断ネジ収容部５２１が配設されていることにより、破断ネジ収容部５２１に破断ネジ５２２を収容しておくようにすれば、スペーサー（中間部材）５０１の封止を解除して開放するごとに、破断ネジ５２２を１本ずつ取り出して次の封止を第２封止部５２０ｂで行うようにすることができ、未使用の破断ネジ５２２がある段階ではこれを封止した状態のスペーサー（中間部材）５０１の内部に確実に保持しておくことができる。
【０１４５】
さらに、スペーサー（中間部材）５０１のコーナー部に第１封止部５２０ａが設けられ、コーナー部以外に第２封止部５２０ｂが設けられていることにより、第１封止部５２０ａによってスペーサー（中間部材）５０１をコーナー部で容易かつ確実に封止することができるとともに、このスペーサー（中間部材）５０１の封止を第２封止部５２０ｂによってさらに確実に行うことができる。また、複数個所に第１および第２封止部が設けられているので、封止および解除を行う行程の１回につき１箇所ずつで封止および解除を行うようにすれば、封止および解除の行程を複数回行うことができ、その行程ごとに開封履歴を残すことができる。
【０１４６】
さらに、スペーサー（中間部材）５０１が中空体に成形され、内部がリブ５１２により多数の室に区画された構成としたことによって、スペーサー（中間部材）５０１の内部に不正基板を設置するのに十分なスペースが形成されておらず、したがって不正行為を効果的に防止することができる。
【０１４７】
さらに、スペーサー（中間部材）５０１が、球集合板４６０に対向する面が開放された構成としたことにより、スペーサー（中間部材）５０１を閉じた状態では上記開放された面も球集合板４６０に当接して閉塞されるため、スペーサー（中間部材）５０１の内部に不正基板を設置する等の不正行為は困難となっている。このとき、前記したようにスペーサー（中間部材）５０１の内部がリブ５１２により多数の室に区画されていても、スペーサー（中間部材）５０１の開放部分が外部に露出しておればそこからリブ５１２を切断して不正行為のためのスペースを確保されるおそれがあるが、上記のようにスペーサー（中間部材）５０１の開放面を球集合板４６０に対向させることにより、リブ５１２を切断することも困難となっている。
【０１４８】
さらに、スペーサー（中間部材）５０１と第１制御基板ユニット２０１とが、たがいに左右逆方向に開閉される開閉構造を有する構成としたことにより、スペーサー（中間部材）５０１および第１制御基板ユニット２０１のそれぞれを開放した状態における荷重が左右いずれか一方の端部に集中せず、左右両端部に分散することとなる。よって、たとえば点検などに際してスペーサー（中間部材）５０１および第１制御基板ユニット２０１を開放する場合等に、これらスペーサー（中間部材）５０１および第１制御基板ユニット２０１の荷重により球集合板４６０に変形が生じるといった不具合が防止される。球集合板４６０に変形が生じると、遊技球の排出に不具合をきたすおそれがある。
【０１４９】
さらに、第１制御基板ユニット２０１の一方端部が軸４１１により回動可能に枢着され、スペーサー（中間部材）５０１に、第１制御基板ユニット２０１の他方端部（自由端部）に係止する係止片が一体成型された構成としたことにより、第１制御基板ユニット２０１の自由端部を保持するための部材（例えばナイラッチ等）を別に用意する必要がなく、部品点数を少なくすることができる。また、スペーサー（中間部材）５０１が不正に取り外されたとした場合、第１制御基板ユニット２０１の自由端部が保持されずに遊離した状態となるため、不正行為が容易に発覚することとなり、したがって不正を行うことがより困難となる。
【０１５０】
また、パチンコ機１０の組み立てにおいては、例えば、球集合板４６０に中継基板、ＬＥＤ基板、スイッチ、配線等の電気部品を取り付け、この球集合板４６０にスペーサー（中間部材）５０１を取り付けてこれらをユニットとして構成し、このユニットを遊技盤３０に取り付け、この後第１制御基板ユニット２０１を取り付けるという工程にすると作業性が良好となるが、このような場合に、電気部品の少なくとも一部がスペーサー（中間部材）５０１で覆われるようにすることで、電気部品がスペーサー（中間部材）５０１によって保護され、取り付け作業時に電気部品が破損されることが防止される。
なお、図２３には、球集合板４６０にスペーサー（中間部材）５０１および第１制御基板ユニット２０１を取り付けた状態が示されており、このように、球集合板４６０、スペーサー（中間部材）５０１および第１制御基板ユニット２０１を一体とした状態で遊技盤３０に取り付けるという工程も可能であり、パチンコ機１０の組み立て方法は特定のものに限定されないが、前記のように球集合板４６０およびスペーサー（中間部材）５０１をユニットとして遊技盤３０に取り付けた後に第１制御基板ユニット２０１を取り付けるという工程がとりわけ作業性が良好である。
【０１５１】
（特徴構成）
【０１５２】
以上の説明から明らかなように、第１基板ケース２０１Ａ（以下基板ケース２０１Ａと略称する）は、正面視概略横長の長方形状の外形を有し、その一側部分（基板ケース２０１Ａの背面視における左側部分）が、鋼板よりなる支持体４１２やブラケット４１３等の、金属よりなる連結部材を含む開閉機構４１０を介して遊技盤３０の裏面側に支持固定されている。
また、上記スペーサー（中間部材）５０１は、スペーサー開閉手段４６６を介して、球集合板４６０に開閉自在に取り付けられている。
そして、基板ケース２０１Ａの一端側下面には、連結台座部材４３０が固定され、これに、前記開閉機構４１０のブラケット４１３の第１係合部４１４が嵌合係止されるのである（一端嵌合されると抜け止め）。
【０１５３】
このような構成下のスペーサー（中間部材）５０１は、図２５乃至図２９に示すように、次のように構成されている。但し、ここで説明するスペーサー（中間部材）５０１は、それ以前の図面に示されたものと、一部構造、即ち、スペーサー開閉手段４６６が異なり、装着部５３２に一本軸を形成した枢支構造を採用した構造のもので説明する。
所定の遊技を行う制御基板を収容した基板ケース２０１Ａとスペーサー（中間部材）５０１とが重なる状態で配置され、前記基板ケース２０１Ａは、その一側において連結台座部材４３０と開閉機構４１０を介して、また、前記（中間部材）５０１は、前記連結台座部材４３０のある側とは反対側においてスペーサー開閉手段４６６を介して、互いに異なる方向に開閉するように、夫々遊技盤３０の裏面側に配置され、前記スペーサー（中間部材）５０１は、前記スペーサー開閉手段４６６の存在する側とは反対側において封印されている。
【０１５４】
ここで、上記スペーサー（中間部材）５０１により覆われる電気部品の例として、入賞装置（始動入賞装置・可変入賞装置を含む）、入賞口（始動口・大入賞口を含む）に入球した遊技球を検出するスイッチ、入賞口を開閉する羽根や扉を駆動する駆動装置、及びそれらと電気的に接続されるハーネスや中継基板等が挙げられる。この中で特に、「始動口に入球した遊技球を検出するスイッチ」については、検出タイミングを操作することによって抽選結果が当たり結果となるようにして特別遊技状態を強制発生させて多くの遊技球を獲得するといった不正行為がされる場合に標的となる可能性が高く、「大入賞口に入球した遊技球を検出するスイッチ」については、所定個数の入球が終了契機とされている特別遊技状態中に、入球を検出したにもかかわらず検出していないことにして特別遊技状態の終了を遅らせ、特別遊技状態中に通常よりも多くの遊技球を獲得するといった不正行為がされる場合に標的となる可能性が高く、「始動口を開閉させる羽根を駆動する駆動装置」については、羽根を開放する契機となっていないにもかかわらず、強制的に羽根を開放させ、始動口へ多くの入球をさせることにより抽選を多く行わせて特別遊技状態を導出させ易くするといった不正行為がされる場合に標的となる可能性が高く、「大入賞口を開閉させる扉を駆動する駆動装置」については、特別遊技状態中でないにもかかわらず強制的に扉を開放させ、大入賞口へ多くの入球をさせることにより多くの遊技球を獲得するといった不正行為がされる場合に標的となる可能性が高く、ハーネスや中継基板を含むこれらの電気部品をスペーサー（中間部材)５０１により覆うことで不正対策を施すことは特別な効果がある。
【０１５５】
そして、前記スペーサー（中間部材）５０１は、封止手段５２０と、前記基板ケース２０１Ａを取り付ける取付部５３０と、スペーサー壁体部５３１と、球集合板４６０（介して遊技盤３０）に対して開閉自在に取り付ける装着部５３２とを備え、前記取付部５３０には、前記基板ケース２０１Ａを該スペーサー（中間部材）５０１にバンド連結するための二つの拘束バンド挿通溝部５３３，５３３と、ハーネスを挿通保持するハーネス挿通溝部５３４とが備えられている。この拘束バンド挿通溝部５３３，５３３は、前記基板ケース２０１Ａの幅方向に、所定の間隔を隔てて、ここでは約１５５ｍｍの間隔で、２箇所設けられているものである。
また、前記拘束バンド挿通溝部５３３，５３３を通り、前記基板ケース２０１Ａと前記スペーサー（中間部材）５０１とに亘って巻回された拘束バンド５３５が設けられている。
【０１５６】
そして、前記スペーサー（中間部材）５０１の前記取付部５３０の底壁５３０Ａから、前記基板ケース２０１Ａの前記連結台座部材４３０が位置する側辺を除く３辺を所定の高さ、ここでは、基板ケース２０１Ａの第２ケース（内側ケース）８５の深さ分（厚み幅で、因みに、ここでは、１５ｍｍ）を収容するように側壁５３０Ｂが立設されている。
ここでは、側壁５３０Ｂの３辺のうち、前記基板ケース２０１Ａの対向する長辺側の２辺の側壁５３０Ｂと前記基板ケース２０１Ａとは、略密着する寸法に設定されているが、大幅に間隙を有する場合は除き、必ずしも常時密着する寸法に設定する必要はない。
【０１５７】
前記拘束バンド挿通溝部５３３，５３３の両端部において、前記取付部５３０の側壁５３０Ｂが前記拘束バンド挿通溝部５３３，５３３を跨ぐように設けられ、拘束バンドの係り部として機能するように構成されている。即ち、この側壁５３０Ｂが拘束バンドを巻回したときに、スペーサー（中間部材）５０１と基板ケース２０１Ａとを結束するときの係りの部材となる。
【０１５８】
そして、ここでは、前記スペーサー（中間部材）５０１が可撓性を備えた透明な合成樹脂製で成型されたものであり、前記取付部５３０の側壁５３０Ｂに、前記基板ケース２０１Ａの一部に係脱自在の係止爪５３０Ｃが４個形成されている。
この係止爪５３０Ｃは、前記拘束バンド挿通溝部５３３，５３３の上方に位置する前記取付部５３０の側壁５３０Ｂに設けられている。
そして、前記係止爪５３０Ｃは、該係止爪５３０Ｃの両側において、前記取付部５３０の側壁５３０Ｂが切り欠かれ、弾性変形容易となるように構成されている。
因みに、ここでは、前記係止爪５３０Ｃは、前記側壁５３０Ｂよりも上方に１０ｍｍ突出しており、前述の側壁５３０Ｂの切り欠きは、深さ１０ｍｍで、側面視でＶ形に切り込まれたものである。但し、前記連結台座部材４３０が位置する側の、前記係止爪５３０Ｃの側方は、Ｖ形でなく、同等深さで切り落としされている。
【０１５９】
また、前記係止爪５３０Ｃは、前記側壁５３０Ｂの内側に向いた爪突起５３０Ｄを有し、該爪突起５３０Ｄは、その上端から前記側壁５３０Ｂの内側下方に向けて傾斜面５３０Ｅを有する。この傾斜面５３０Ｅは、前記基板ケース２０１Ａの挿入設置時に、その底部に接当したときのガイドと、カム作用を発揮させるためのものである。
【０１６０】
更に、前記スペーサー（中間部材）５０１の取付部５３０の上面部に、前記連結台座部材４３０を位置させるための段部５３０Ｆが形成され、該段部５３０Ｆに、前記ハーネス挿通溝部５３４が形成されている。
この段部５３０Ｆは、前記底壁５３０Ａからの段差が約１５ｍｍで、一側端部に向けて、６５ｍｍ部分及び７５ｍｍ部分の２段状態で延びている。
そして、前記底壁５３０Ａから前記ハーネス挿通溝部５３４へは、一つの拘束バンド挿通溝部５３３が位置されており、この拘束バンド挿通溝部５３３の溝を形成する一側壁、ここでは、一枚の板壁が、前記段部５３０Ｆの一側壁となっている。
ここから分かるように、この実施例では、前記段部５３０Ｆの段差と、前記拘束バンド挿通溝部５３３の溝の深さが同じに構成されているものである。因みに、この拘束バンド挿通溝部５３３の溝の幅は、ここでは、１４ｍｍとされている。
【０１６１】
そして、ハーネス挿通溝部５３４は、前記拘束バンド挿通溝部５３３の溝を形成する一側壁、即ち、段部５３０Ｆの開始位置から１４ｍｍだけ該スペーサー（中間部材）５０１の一側端部側に移動したところから、その端部側に向けて２５ｍｍの幅で、深さ６ｍｍで形成されている。但し、溝の形状は、横断面視で台形を成すように形成されている。
このハーネス挿通溝部５３４の一端は、スペーサー（中間部材）５０１の側壁５３０Ｂが存在せず、その他端は、側壁５３０Ｂが存し、そこに開口５３４Ａが形成される構造になっている。但し、側壁５３０Ｂの開口５３４Ａの手前において、このハーネス挿通溝部５３４は、該スペーサー（中間部材）５０１の端部側に寄る方向に湾曲されて形成されている。即ち、この実施例では、ハーネス挿通溝部５３４は、スペーサー（中間部材）５０１の幅方向に横切る真っ直ぐな溝ではないが、勿論、直線状の溝としてもよい。
【０１６２】
ここで、前記ハーネス挿通溝部５３４に挿通されるハーネスとハーネス挿通溝部５３４との関わりについて述べる。
ハーネス挿通溝部５３４に挿通されるハーネスは、配線の両端にコネクタを備えるものであり、ハーネス挿通溝部５３４の溝幅は配線より大きくかつコネクタより小さく設定されている。このため、ハーネス挿通溝部５３４内に挿通された状態のハーネスをハーネス挿通溝部５３４に沿って動かした場合には末端側のコネクタがハーネス挿通溝部５３４の端部に引っかかりそれ以上のハーネスの移動ができなくなる。このため、基板ケースによりハーネス挿通溝部５３４の開放側が覆われた状態でスペーサー５０１と第１基板ケース２０１Ａが拘束バンド５３５によって拘束されると、このハーネスをハーネス挿通溝部５３４から取り外すことができなくなる。これによってハーネスを不正に摩り替えたりコネクタを不正基板に接続し直したりすることができず、不正行為を防止することができる。なお、本実施例においてハーネス挿通溝部５３４に挿通されるハーネスは、第１基板ケース２０１Ａより下方に配置された電源制御基板３１３から、第１基板ケース２０１Ａより上方に配置された第２基板ケース２０２Ａへ向けて電源を供給する電源用ハーネスであり、不正行為として不正基板を遊技機所定箇所に配置された場合に利用される虞のあるハーネスである。この他、コマンド用ハーネスや入賞検出スイッチ用ハーネスをハーネス挿通溝部５３４に挿通させるようにしてもよい。
また、ハーネス挿通溝部５３４の一端（本実施例のスペーサー装着状態においては下端）には、電源制御基板に接続されるコネクタを収容して固定するための収容部５３４Ｃが設けられている。前記収容部５３４Ｃはコネクタが嵌入されたり内部に突起などが形成されて係止されたりすることによってコネクタを固定するものである。これによって一方のコネクタを仮留め状態にすれば、他方のコネクタ側に配線が寄った状態でハーネスがハーネス挿通溝部５３４を挿通した状態となるため、先に他方のコネクタの接続作業を行う場合に手間どうことがなくなる。
【０１６３】
また、前記ハーネス挿通溝部５３４の上部には、ハーネスを押さえ込む２個の係止片５３４Ｂ，５３４Ｂが、互いに所定の間隔を隔て、ここでは、７０ｍｍを空けて、且つ、該ハーネス挿通溝部５３４の一側、ここでは、該スペーサー（中間部材）５０１の一端部側から内方に向けて、所定の間隙Ｌ（５ｍｍ）を残して、横切るように設けられている。この間隙Ｌ（５ｍｍ）の存在によって、ハーネスを挿入設置する場合に、この間隙Ｌ（５ｍｍ）を利用してハーネスを滑り込ませるようにするとハーネス挿通溝部５３４への設置が容易になる。
勿論、これらの係止片５３４Ｂ，５３４Ｂは、少なくとも１個あればよいものであるが、実施例の如く２個、或いは、更に、数を増やすようにしてもよい。また、ハーネス挿通溝部５３４を横切るのに、所定の間隙Ｌ（５ｍｍ）を残しているが、この間隙Ｌを残さないで、完全に跨ぐように設けてもよい。
【０１６４】
（作用）
上述のように構成し、拘束バンド挿通溝部５３３，５３３が前記基板ケース２０１Ａの幅方向に、所定の間隔を隔てて２箇所設けられていることで、２本のバンド拘束が確実且つ安定的に行い得ることができるのである。
また、かかる構成によって、不正目的で基板ケース２０１Ａを回動させて開く場合には、前記２本の拘束バンド５３５を切断しなければならず、その分、手間を要することになる。
【０１６５】
また、前記取付部５３０に基板ケース２０１Ａの３辺を囲む側壁５３０Ｂが立設されたことで、これらの側壁５３０Ｂにより基板ケース２０１Ａが規制された状態でスペーサー（中間部材）５０１に受け止めさせることができ、単に台板状のスペーサーに載置するのにくらべ、安定的に支持することができる。従って、拘束バンド５３５により基板ケース２０１Ａがスペーサー（中間部材）５０１に結束されたときに、万一、拘束が緩んでも、前記側壁５３０Ｂの存在によって、相互に横滑りして結束状態が崩れてしまう虞がない。
【０１６６】
更に、前記取付部５３０の側壁５３０Ｂが、前記拘束バンド挿通溝部５３３，５３３を跨ぐように設けられ、拘束バンド５３５の係り部として機能するように構成されていることで、前記取付部５３０の側壁５３０Ｂが、基板ケース２０１Ａを保持する機能を発揮すると同時に、拘束バンド５３５が基板ケース２０１Ａをスペーサー（中間部材）５０１に拘束するための係りの機能も兼ねることができるのである。
【０１６７】
そして、スペーサー（中間部材）５０１自体を、可撓性を備えた合成樹脂製とし、その取付部５３０の側壁５３０Ｂに係止爪５３０Ｃを形成するようにしたことで、この係止爪５３０Ｃにより弾性的に基板ケース２０１Ａに係脱させることができ、基板ケース２０１Ａの側壁５３０Ｂを利用して係止爪５３０Ｃを設けることができる。
【０１６８】
更に、上記のように、前記係止爪５３０Ｃが前記拘束バンド挿通溝部５３３，５３３の上方に位置する前記取付部５３０の側壁５３０Ｂに設けられていることで、前記拘束バンド挿通溝部５３３，５３３に拘束バンド５３５が通されて、前記基板ケース２０１Ａに巻回されるときに、その拘束バンド５３５が前記取付部５３０の側壁５３０Ｂから前記係止爪５３０Ｃの上に沿って巻回されることになり、前記係止爪５３０Ｃ自体も拘束することになって、係止爪５３０Ｃによる基板ケース２０１Ａの係止状態を強固に維持できることになる。
【０１６９】
また、前記スペーサー（中間部材）５０１が可撓性を備えた合成樹脂製で構成され、且つ、前記取付部５３０の側壁５３０Ｂに切り欠きが形成されることで、前記係止爪５３０Ｃの変形を容易に成し得て弾性を引き出し易くなり、係脱がスムースに行い得るものである。
【０１７０】
更に、前記係止爪５３０Ｃの爪突起５３０Ｄに、その上端から前記側壁５３０Ｂの内側下方に向けて傾斜面５３０Ｅを有せしめたことで、上方から基板ケース２０１Ａをスペーサー（中間部材）５０１の取付部５３０側に挿入設置するときに、この係止爪５３０Ｃに接当した際、その傾斜面５３０Ｅがカム作用を生じて、該係止爪５３０Ｃを外側に曲げようとする分力を生ぜしめ、その基板ケース２０１Ａの前記取付部５３０への挿入をスムース且つ容易にすることができる。
【０１７１】
また、前記スペーサー（中間部材）５０１には基板ケース２０１Ａの側部（裏面）に設けた連結台座部材４３０を位置させるための段部５３０Ｆを形成する必要があるが、この段部５３０Ｆにハーネス挿通溝部５３４を形成することで、この段部５３０Ｆとハーネス挿通溝部５３４とを一挙に形成できる。
そして、基板ケース２０１Ａの裏面側は、スペーサー（中間部材）５０１により埋まっており、また、内部では、遊技盤３０（球集合板４６０）の裏面の各電気部品等が占拠している状態であり、上述したハーネスを通す通路を確保し難いところ、この連結台座部材４３０の下側の段部５３０Ｆに形成することで、ハーネスを前記基盤ケース２０１Ａにより隠した状態で、該基板ケース２０１Ａの一側から他側に導出させることができる。
【０１７２】
更に、前記ハーネス挿通溝部５３４の上部に、ハーネスを押さえ込む２個の係止片５３４Ｂ，５３４Ｂを、互いに所定の間隔を隔て、且つ、該ハーネス挿通溝部５３４の一側から他側に向けて、所定の間隙を残して、横切るように設けたことで、ハーネスを設置するときに、該ハーネス挿通溝部５３４の内部に納めて、離れた二箇所で確実に抑えこむことができて、基板ケース２０１Ａを扉のように回動閉鎖させてスペーサー（中間部材）５０１に重ねるときに、ハーネスが両者間に挟まれるといった不都合を未然に回避できるのである。
【０１７３】
また、前記ハーネス挿通溝部５３４の上部に、前記係止片５３４Ｂ，５３４Ｂとハーネス挿通溝部５３４との間に所定の間隙Ｌを残すことによって、この間隙Ｌを通して、ハーネスをハーネス挿通溝部５３４へ滑り込ませ或いは引き出すことができ、ハーネスの着脱が必要な場合に、簡単にこれを行い得る。
【産業上の利用可能性】
【０１７４】
本発明は、基板ケースとスペーサーとを備える遊技機であれば、適宜実施可能であり、その適用範囲は広いものである。
【符号の説明】
【０１７５】
３０：遊技盤
２０１Ａ：基板ケース
５０１：スペーサー
４３０：連結台座部材
４１０：開閉機構
５２０：封止手段５２０
５３０：取付部
５３２：装着部
５３３：拘束バンド挿通溝部
５３４：ハーネス挿通溝部
５３５：拘束バンド
【図１】
0005888537.tif 000002
【図２】
0005888537.tif 000003
【図３】
0005888537.tif 000004
【図４】
0005888537.tif 000005
【図５】
0005888537.tif 000006
【図６】
0005888537.tif 000007
【図７】
0005888537.tif 000008
【図８】
0005888537.tif 000009
【図９】
0005888537.tif 000010
【図１０】
0005888537.tif 000011
【図１１】
0005888537.tif 000012
【図１２】
0005888537.tif 000013
【図１３】
0005888537.tif 000014
【図１４】
0005888537.tif 000015
【図１５】
0005888537.tif 000016
【図１６】
0005888537.tif 000017
【図１７】
0005888537.tif 000018
【図１８】
0005888537.tif 000019
【図１９】
0005888537.tif 000020
【図２０】
0005888537.tif 000021
【図２１】
0005888537.tif 000022
【図２２】
0005888537.tif 000023
【図２３】
0005888537.tif 000024
【図２４】
0005888537.tif 000025
【図２５】
0005888537.tif 000026
【図２６】
0005888537.tif 000027
【図２７】
0005888537.tif 000028
【図２８】
0005888537.tif 000029
【図２９】
0005888537.tif 000030